(57)【要約】  【課題】インターネット上のサービスサイトは、通常一人で複数の会員資格を持たない。一方、メール送信に関しては、複数の送信先を登録するのは普通の使用方法ある。この状況において、デジタルカメラで送信先を選択する画面の構成を考えたときに、サービスサイトに関しては一サービス一選択肢であるのに対し、メール送信先については、メール送信という一サービスについて複数の選択肢(送信先)が表示されることになる。この状態では、画面構成としてユーザに分かりにくいものになる。  【解決手段】画像送信先の選択画面において、分かりやすさ・見やすさを維持するため、異なる性質を持つ選択肢を統一的に扱い、かつ、ユーザによる選択肢の並べ替えも実現した、撮像装置、情報処理装置から構成されることを特徴とした。【選択図】図1
2013131086.tif 000002
【特許請求の範囲】
【請求項１】
画像あるいは文字によって情報を表示するディスプレイと、使用者の操作を受け付ける操作部と、演算や制御を行う中央処理装置と、一時的なデータを記憶するRAMと、電源切断後まで保持されるデータを記録する二次記憶装置と、外部装置と通信する通信装置とを有する情報処理装置であって、ネットワーク上のサービスの会員情報と電子メールの送信先情報を保持するサービス情報記憶部と、前記サービス情報記憶部に保持された情報を一覧表示するサービス情報表示部と、前記サービス情報表示部が表示した各情報の順番を変更する表示順序変更部と、前記サービス情報記憶部が保持する情報と前記表示順序変更部が保持する表示順序の情報を、外部装置に送信するサービス情報送信部を備え、前記サービス情報記憶部は、1サービスにつき複数の会員情報を保持可能で、前記サービス情報表示部は、1サービスにつき複数の会員情報が存在した場合、各会員情報を一つのサービスに包含される態様の表示を行い、前記表示順序変更部は、操作者の操作に応じてあるサービスと別のサービスの順序を変更したり、あるサービスに包含される複数の会員情報の順序を変更したりすることを特徴とする情報処理装置。
【請求項２】
イメージセンサーに被写体からの光を結像させる光学系と、被写体からの光を画像に変換するイメージセンサーと、演算や制御を行う中央処理装置と、一時的なデータを記憶するRAMと、電源切断後まで保持されるデータを記録するROMと、撮影された画像を保持する記憶媒体と、画像あるいは文字によって情報を表示するディスプレイと、使用者の操作を受け付ける操作部と、外部装置と通信する通信装置とを有する撮像装置であって、外部装置から、ネットワーク上のサービスの会員情報と電子メールの送信先情報を、各会員情報の表示順序の情報を受信し保持するサービス情報記憶部と、前記サービス情報記憶部に保持された情報を、前記表示順序の情報に従って一覧表示するサービス情報表示部と、前記サービス情報表示部が表示したサービスを操作者が指定するサービス情報指定部と、前記記憶媒体が保持する画像から送信する画像を選択する送信画像選択手段と、前記サービス情報誌底部によって指定されたサービスに画像を送信する画像送信部を備えることを特徴とする撮像装置。
【請求項３】
複数の機器が互いに通信可能に接続されている撮像システムであって、前記複数の機器のうち少なくとも1つの機器は、請求項1に記載の情報処理装置の機能を有し、前記複数の機器のうち別の少なくとも1つの機器は、請求項2に記載の撮像装置の機能を有することを特徴とする撮像システム。
【発明の詳細な説明】
【技術分野】
【０００１】
本発明は、撮像装置、情報処理装置、および撮像システムに関し、特に、画像送信先設定の変更機能を持つ撮像装置、情報処理装置、および撮像システムに関するものである。
【背景技術】
【０００２】
デジタルカメラで撮影した画像を保存したり活用したりするには、従来、画像が記録されたメモリーカードをPCに差し替えたり、PCとケーブルで接続したりして、画像をコピーする方法が主なものであった。
【０００３】
最近になって、無線LANを搭載したデジタルカメラが数多く発売されるようになってきた。さらに、これらのカメラには、インターネット上の著名なサービスサイトに接続し、そのサイトに画像を送信・掲載する機能を持つものもある。また、登録した相手にメールで画像を送信する機能もある。すなわち、PCを中継することなく、カメラから直接インターネットに画像を送信することが可能になっている。
【０００４】
例えば、特許文献1では、メニューにカスタム登録ができるプリンタにおいて、本体単独またはPCからの操作で、メニューのカスタム登録を行う方法が開示されている。
【０００５】
特許文献2では、プリンタドライバの設定画面を、項目やレイアウトなど、高い自由度でカスタマイズできる方法が開示されている。
【先行技術文献】
【特許文献】
【０００６】
【特許文献１】特開2008-97305号公報
【特許文献２】特開2009-187389号公報
【発明の概要】
【発明が解決しようとする課題】
【０００７】
しかしながら、上述の文献に開示された従来技術では、下記のような問題が生じることがある。
【０００８】
インターネット上のサービスサイトに画像を送信するには、通常会員登録が必要である。会員登録は、一人につき1回のみ行うのが普通である(一人で複数の会員資格を持たない)。一方、メール送信に関しては、複数の送信先を登録するのは普通の使用方法ある。
【０００９】
この状況において、デジタルカメラで送信先を選択する画面の構成を考えたときに、選択肢として各サービスサイトとメール送信先を同列に並べると、次のようになる。
サービスサイトA
サービスサイトB
サービスサイトC
メール送信先X
メール送信先Y
このように、サービスサイトに関しては一サービス一選択肢であるのに対し、メール送信先については、メール送信という一サービスについて複数の選択肢(送信先)が表示されることになる。
【００１０】
この状態では、画面構成としてユーザに分かりにくいものになる。さらに、選択肢をユーザが自由に並べ替えることのできる機能を提供とするとなると、各サービスサイトと送信先の選択肢が入り乱れ、さらに見づらいものとなる。
【００１１】
そこで、本発明の目的は、画像送信先の選択画面において、分かりやすさ・見やすさを維持するため、異なる性質を持つ選択肢を統一的に扱い、かつ、ユーザによる選択肢の並べ替えも実現した、撮像装置、情報処理装置、撮像システムを提供することである。
【課題を解決するための手段】
【００１２】
かかる目的下において、第1の発明は、画像あるいは文字によって情報を表示するディスプレイと、使用者の操作を受け付ける操作部と、演算や制御を行う中央処理装置と、一時的なデータを記憶するRAMと、電源切断後まで保持されるデータを記録する二次記憶装置と、外部装置と通信する通信装置とを有する情報処理装置であって、ネットワーク上のサービスの会員情報と電子メールの送信先情報を保持するサービス情報記憶部と、前記サービス情報記憶部に保持された情報を一覧表示するサービス情報表示部と、前記サービス情報表示部が表示した各情報の順番を変更する表示順序変更部と、前記サービス情報記憶部が保持する情報と前記表示順序変更部が保持する表示順序の情報を、外部装置に送信するサービス情報送信部を備え、前記サービス情報記憶部は、1サービスにつき複数の会員情報を保持可能で、前記サービス情報表示部は、1サービスにつき複数の会員情報が存在した場合、各会員情報を一つのサービスに包含される態様の表示を行い、前記表示順序変更部は、操作者の操作に応じてあるサービスと別のサービスの順序を変更したり、あるサービスに包含される複数の会員情報の順序を変更したりすることを特徴とする情報処理装置。
【発明の効果】
【００１３】
本発明によれば、画像送信先の選択画面において、分かりやすさ・見やすさを維持し、かつ、ユーザによる選択肢の並べ替えも実現した、撮像装置、情報処理装置、撮像システムを提供することができる。
【図面の簡単な説明】
【００１４】
【図１】第１の実施例における撮像装置の構成を示すブロック図である。
【図２】第１の実施例における情報処理装置の構成を示すブロック図である。
【図３】第１の実施例における情報処理装置の画面構成を説明するための図である。
【図４】第１の実施例における情報処理装置の動作を説明するためのフローチャートである。
【図５】第１の実施例における情報処理装置の動作を説明するためのフローチャートである。
【図６】第１の実施例における情報処理装置の動作を説明するためのフローチャートである。
【図７】第１の実施例における撮像装置の画面構成を説明するための図である。
【図８】第１の実施例における撮像装置の動作を説明するためのフローチャートである。
【発明を実施するための形態】
【００１５】
［実施例1］
図1は、本発明の実施形態に関わる撮像装置100の構成を示すブロック図である。
【００１６】
撮像装置100は、光学系101と、イメージセンサー102と、CPU 103と、RAM 104と、ROM 105 と、メモリーカード106と、ディスプレイ107と、操作部108と、通信装置109とから構成されている。
【００１７】
光学系101は、レンズ、シャッター、絞りから構成されていて、被写体からの光を適切な量とタイミングでイメージセンサー102に結像させる。
【００１８】
イメージセンサー102は、光学系101を通って結像した光を画像に変換する。
【００１９】
CPU 103は、Central Processing Unitを意味し、各種の演算や、撮像装置100を構成する各部分の制御を行う。
【００２０】
RAM 104は、Random Access Memoryを意味し、一時的なデータを記憶し、CPU 103の作業用に使われる。
【００２１】
ROM 105は、Read Only Memoryを意味し、撮像装置100を制御するためのプログラム(ファームウェア)や各種の設定情報を記憶する。ROM 105は、いわゆるROM以外にも、フラッシュメモリなどの電源切断後も記憶内容が保持されるデバイスで構成されていてもよい。
【００２２】
メモリーカード106は、撮影した画像データなどを記憶する。撮影後にメモリーカード106を取り外し、パーソナルコンピュータなどに装着してデータを読み出すことが可能である。
【００２３】
ディスプレイ107は、撮影時のビューファインダー画像の表示、撮影した画像の表示、対話的な操作のための文字表示などを行う。
【００２４】
操作部108は、使用者の操作を受け付ける。通信装置109は、外部装置と接続し制御コマンドやデータのやり取りを行う。
【００２５】
通信装置109は、有線であるか無線であるかや、外部装置と直接接続するかネットワークを介して接続するかなどは問わない。
【００２６】
図2は、本発明の実施形態に関わる情報処理装置200の構成を示すブロック図である。
【００２７】
情報処理装置200は、ディスプレイ201と、操作部202と、CPU 203と、RAM 204と、HDD205と、通信装置206とから構成されている。
【００２８】
ディスプレイ201は、文字や画像などを表示する。ディスプレイ201は、情報処理装置200と一体となった構成以外に、外部装置として接続された構成であってもよい。
操作部202は、使用者の操作を受け付ける。
【００２９】
CPU 203は、Central Processing Unitを意味し、各種の演算や、情報処理装置200を構成する各部分の制御を行う。
【００３０】
RAM 204は、Random Access Memoryを意味し、一時的なデータを記憶し、CPU 203の作業用に使われる。
【００３１】
HDD 205は、Hard Disk Driveを意味し、情報処理装置200を制御するためのオペレーティングシステムや各種アプリケーションのプログラムを記憶する。HDD 205は、いわゆるHDD以外にも、フラッシュメモリなどの電源切断後も記憶内容が保持されるデバイスで構成されていてもよい。
【００３２】
通信装置206は、外部装置と接続し制御コマンドやデータのやり取りを行う。通信装置206は、有線であるか無線であるかや、外部装置と直接接続するかネットワークを介して接続するかなどは問わない。
【００３３】
図3は、本発明において情報処理装置200のディスプレイ201に表示される画面の例である。これを、Webサービス設定画面300と呼ぶこととする。
【００３４】
Webサービス設定画面300は、撮像装置側設定パネル301と、上移動ボタン302と、下移動ボタン303と、サービスアイコンパネル(撮像装置側)304と、サービス名パネル(撮像装置側)305と、メール送信アイコンパネル(撮像装置側)306と、メール送信先パネル(撮像装置側)307と、選択状態のサービスアイコンパネルおよびサービス名パネル308と、削除ボタン309と、サービス書込みボタン310と、情報処理装置側設定パネル311と、メール送信アイコンパネル(情報処理装置側)312と、メール送信先パネル(情報処理装置側)313と、選択状態の送信先パネル314と、サービスアイコンパネル(情報処理装置側)315と、サービス名パネル(情報処理装置側)316と、Webサービスの編集ボタン317とから構成されている。
【００３５】
撮像装置側設定パネル301は、撮像装置200の側の設定状態を表し、また設定を変更するためのパネルである。
【００３６】
上移動ボタン302が押下されると、選択されたパネルが上方向に移動される(並び順が変更される)。
【００３７】
下移動ボタン303が押下されると、選択されたパネルが下方向に移動される(並び順が変更される)。
【００３８】
サービスアイコンパネル(撮像装置側)304およびサービス名パネル(撮像装置側)305は、一つのサービスについて一対となって表示され、撮像装置100に設定されているサービスを表す。
【００３９】
メール送信アイコンパネル(撮像装置側)306は、撮像装置100にメール送信サービスが設定されている場合に、それを表す。
【００４０】
メール送信先パネル(撮像装置側)307は、メール送信先として設定されているものを表す。
選択状態のサービスアイコンパネルおよびサービス名パネル308は、ユーザの操作によって選択されたパネルを表す。
【００４１】
削除ボタン309が押下されると、選択されたパネルに対応するサービスが撮像装置100から削除される。
【００４２】
サービス書込みボタン310が押下されると、情報処理装置側設定パネル311で選択されたパネルに対応するサービスの情報が、撮像装置100に書き込まれ、撮像装置側設定パネル301に対応するパネルが表示される。
【００４３】
情報処理装置側設定パネル311は、情報処理装置100の側の設定状態を表し、また設定を変更するためのパネルである。
【００４４】
メール送信アイコンパネル(情報処理装置側)312は、情報処理装置200にメール送信サービスが登録されている場合に、それを表す。
【００４５】
メール送信先パネル(情報処理装置側)313は、メール送信先として設定されているものを表す。
【００４６】
選択状態の送信先パネル314は、ユーザの操作によって選択されたパネルを表す。選択状態のサービスアイコンパネルおよびサービス名パネル308との違いは、選択状態のサービスアイコンパネルおよびサービス名パネル308はアイコンとサービス名両方が選択されている、すなわちサービス全体が選択されているのに対し、選択状態の送信先パネル314はアイコンが選択されず特定の送信先のみが選択されていることである。
【００４７】
サービスアイコンパネル(情報処理装置側)315およびサービス名パネル(情報処理装置側)31６は、一つのサービスについて一対となって表示され、情報処理装置200に登録されているサービスを表す。
【００４８】
Webサービスの編集ボタン317が押下されると、Webサービスを追加・編集するモードに遷移する。Webサービスが追加されると、サービスアイコンパネル(情報処理装置側)315およびサービス名パネル(情報処理装置側)31６として表示される。
【００４９】
図3を実際の操作の流れに沿って説明すると、次のようになる。
【００５０】
まず、使用前に撮像装置100を情報処理装置200に接続しておく。
【００５１】
使用を開始した状態では、Webサービスが登録されていないので、サービスアイコンパネルパネル(撮像装置側)304、サービス名パネル(撮像装置側) 305、メール送信アイコンパネル(撮像装置側)306、メール送信先パネル(撮像装置側)307、メール送信アイコンパネル(情報処理装置側)312、 メール送信先パネル(情報処理装置側)313、サービスアイコンパネル(情報処理装置側)315、サービス名パネル(情報処理装置側)316は表示されていない。
【００５２】
Webサービスの編集ボタン317を押すと、Webサービス登録画面に遷移する。Webサービス登録画面は本発明の範囲でないため省略するが、この画面では、会員登録済みのWebサービスについてID、パスワード等を登録する。メール送信については、送信先のアドレスや受け取り人名などを登録する。登録が終わると、Webサービス設定画面に戻り、登録したサービスがメール送信先パネル(撮像装置側)307、メール送信アイコンパネル(情報処理装置側)312、 メール送信先パネル(情報処理装置側)313、サービスアイコンパネル(情報処理装置側)315として表示される。
【００５３】
撮像装置側設定パネル301および情報処理装置側設定パネル311におけるパネルの選択について説明する。サービスアイコンパネルパネル(撮像装置側)304、サービス名パネル(撮像装置側) 305、サービスアイコンパネル(情報処理装置側)315、サービス名パネル(情報処理装置側)316については、アイコン表示部分とサービス名表示部分が対になっているので、アイコン表示部分、サービス名表示部分のいずれを押下しても、アイコン表示部部分とサービス名表示部分を含めた全体が選択される。選択状態のサービスアイコンパネルおよびサービス名パネル308がその例である。メール送信アイコンパネル(撮像装置側)306、メール送信先パネル(撮像装置側)307、メール送信アイコンパネル(情報処理装置側)312、 メール送信先パネル(情報処理装置側)313は、全体と一部分のそれぞれが選択できるようになっている。送信先表示部分を押下すると、その送信先だけが選択される。選択状態の送信先パネル314がその例である。アイコン表示部分を押下すると、全体、すなわちアイコン表示部分と全ての送信先表示部分が選択される。
【００５４】
さて、情報処理装置側設定パネル311においてカメラに設定したいWebサービスを選択し、サービス書込みボタン310を押下すると、そのWebサービスがカメラに設定される。設定されたWebサービスは、撮像装置側設定パネル301に表示される。
【００５５】
撮像装置側設定パネル301に表示されたパネルは、次の操作が可能である。パネルを選択してから上移動ボタン302、下移動ボタン303を押下すると、それぞれ上、下に移動し、パネルを並び替えることができる。パネルを選択してから削除ボタン309を押下すると、そのサービスが撮像装置200から削除され、撮像装置側設定パネル301からもパネルが消える。
【００５６】
メール送信アイコンパネル(撮像装置側)306については、メール送信アイコンパネル(撮像装置側)306全体が選択されていれば、メール送信アイコンパネル(撮像装置側)306全体が移動したり、削除されたりする。メール送信アイコンパネル(撮像装置側)306全体が選択されているのでなく、特定のメール送信先パネル(撮像装置側)307だけが選択されていれば、それだけが移動したり削除されたりする。選択されたメール送信先パネル(撮像装置側)307が、送信先表示の中で一番上にあれば、それ以上上には移動しないし、送信先表示の中で一番下にあれば、それ以上下には移動しない。
【００５７】
図4、5、6は、図3で説明した機能を実現するための情報処理装置200の処理の流れを示したもので、HDD 205に記録されたプログラムをCPU 203が読み取り実行することによって行われる。この処理の詳細を、以下に説明する。
【００５８】
ステップS401: 情報処理装置200に撮像装置100が接続されたなら、ステップS402に進む。そうでなければステップS401に戻る。
【００５９】
ステップS402: 情報処理装置100との通信を確立するための処理を行う。ここで、既に情報処理装置100に設定されているサービスの情報も取得する。
【００６０】
ステップS403: Webサービス設定画面300を表示する。
【００６１】
ステップS404: Webサービスの編集ボタン317が押されたならば、ステップS405に進む。そうでなければステップS406に進む。
【００６２】
ステップS405: Webサービスの登録・編集処理を行う。具体的には、Webサービス登録画面に遷移し、会員登録済みのWebサービスについてID、パスワード等を登録する。メール送信については、送信先のアドレスや受け取り人名などを登録する。Webサービス登録画面は本発明の範囲でないため、詳細の説明は省略する。この画面での処理が終わると、Webサービス設定画面300に戻る。
【００６３】
ステップS406: サービスアイコンパネルパネル(撮像装置側)304またはサービス名パネル(撮像装置側)305が押されたならば、ステップS407に進む。そうでなければステップS408に進む。
【００６４】
ステップS407: サービスアイコンパネルパネル(撮像装置側)304、サービス名パネル(撮像装置側)305のいずれが押されたかに関わらず、該当する位置の対となったサービスアイコンパネルパネル(撮像装置側)304およびサービス名パネル(撮像装置側)305の両方を選択表示にする。選択表示になると、選択状態のサービスアイコンパネルおよびサービス名パネル308のような表示になる。
【００６５】
ステップS408: サービスアイコンパネル(情報処理装置側)315またはサービス名パネル(情報処理装置側)316が押されたならば、ステップS409に進む。そうでなければステップS410に進む。
【００６６】
ステップS409: サービスアイコンパネル(情報処理装置側)315、サービス名パネル(情報処理装置側)316のいずれが押されたかに関わらず、該当する位置の対となったサービスアイコンパネル(情報処理装置側)315およびサービス名パネル(情報処理装置側)316の両方を選択表示にする。選択表示になると、選択状態のサービスアイコンパネルおよびサービス名パネル308のような表示になる。
【００６７】
ステップS410: メール送信アイコンパネル(撮像装置側)306が押されたならば、ステップS411に進む。そうでなければステップS412に進む。
【００６８】
ステップS411: 該当する位置のメール送信アイコンパネル(撮像装置側)306と、そのアイコンパネルに隣接する一つまたは複数のメール送信先パネル(撮像装置側)307全てを選択表示にする。
【００６９】
ステップS412: メール送信先パネル(撮像装置側)307が押されたならば、ステップS413に進む。そうでなければステップS414に進む。
【００７０】
ステップS413: 押されたメール送信先パネル(撮像装置側)307一つを選択表示にする。選択表示になると、選択状態の送信先パネル314のような表示になる。
【００７１】
ステップS414: メール送信アイコンパネル(情報処理装置側)312が押されたならば、ステップS415に進む。そうでなければステップS416に進む。
【００７２】
ステップS415: 該当する位置のメール送信アイコンパネル(情報処理装置側)312と、そのアイコンパネルに隣接する一つまたは複数のメール送信先パネル(情報処理装置側)313全てを選択表示にする。
【００７３】
ステップS416: メール送信先パネル(情報処理装置側)313が押されたならば、ステップS417に進む。そうでなければステップS418に進む。
【００７４】
ステップS417: 押されたメール送信先パネル(情報処理装置側)313一つを選択表示にする。選択表示になると、選択状態の送信先パネル314のような表示になる。
【００７５】
ステップS418: サービス書込みボタン310が押されたならば、ステップS419に進む。そうでなければステップS420に進む。
【００７６】
ステップS419: 情報処理装置側設定パネル311の中で選択されているサービスを、撮像装置側設定パネル301にも追加して表示する。
【００７７】
ステップS420: 情報処理装置側設定パネル311の中で選択されているサービスの情報を、これ以前に撮像装置100が持っていた情報(ステップS402で取得した情報)に追加して、撮像装置100に送信する。
【００７８】
ステップS421: 上移動ボタン302が押されたならば、ステップS422に進む。そうでなければステップS427に進む。
【００７９】
ステップS422: 撮像装置側設定パネル301の中で選択されているサービスが、サービスアイコンパネルパネル(撮像装置側)304およびサービス名パネル(撮像装置側)305の両方ならば、ステップS423に進む。メール送信アイコンパネル(撮像装置側)306とそれに隣接する全て(一つまたは複数)のメール送信先パネル(撮像装置側)307ならば、ステップS424に進む。メール送信先パネル(撮像装置側)307のみならば、ステップS425に進む。
【００８０】
ステップS423: 対になって表示されているサービスアイコンパネルパネル(撮像装置側)304およびサービス名パネル(撮像装置側)305の表示順序を一段上に変更し、表示を更新する。
【００８１】
ステップS424: メール送信アイコンパネル(撮像装置側)306とそれに隣接する全て(一つまたは複数)のメール送信先パネル(撮像装置側)307の表示順序を、まとめて一段上に変更し、表示を更新する。
【００８２】
ステップS425: 選択されているメール送信先パネル(撮像装置側)307を、他の選択されていないメール送信先パネル(撮像装置側)307との間で、表示順序を一段上に変更し、表示を更新する。既にメール送信先パネル(撮像装置側)307の中で一番上に位置していた場合は、表示は変化しない。
【００８３】
ステップS426: ステップS423、S424、S425で変化した表示順序を更新して、サービス情報を撮像装置100に送信する。
【００８４】
ステップS427: 下移動ボタン303が押されたならば、ステップS428に進む。そうでなければステップS433に進む。
【００８５】
ステップS428: 撮像装置側設定パネル301の中で選択されているサービスが、サービスアイコンパネルパネル(撮像装置側)304およびサービス名パネル(撮像装置側)305の両方ならば、ステップS429に進む。メール送信アイコンパネル(撮像装置側)306とそれに隣接する全て(一つまたは複数)のメール送信先パネル(撮像装置側)307ならば、ステップS430に進む。メール送信先パネル(撮像装置側)307のみならば、ステップS431に進む。
【００８６】
ステップS429: 対になって表示されているサービスアイコンパネルパネル(撮像装置側)304およびサービス名パネル(撮像装置側)305の表示順序を一段下に変更し、表示を更新する。
【００８７】
ステップS430: メール送信アイコンパネル(撮像装置側)306とそれに隣接する全て(一つまたは複数)のメール送信先パネル(撮像装置側)307の表示順序を、まとめて一段下に変更し、表示を更新する。
【００８８】
ステップS431: 選択されているメール送信先パネル(撮像装置側)307を、他の選択されていないメール送信先パネル(撮像装置側)307との間で、表示順序を一段下に変更し、表示を更新する。既にメール送信先パネル(撮像装置側)307の中で一番下に位置していた場合は、表示は変化しない。
【００８９】
ステップS432: ステップS429、S430、S431で変化した表示順序を更新して、サービス情報を撮像装置100に送信する。
【００９０】
ステップS433: 削除ボタン309が押されたならば、ステップS434に進む。そうでなければ、ステップS404に戻る。
【００９１】
ステップS434: 撮像装置側設定パネル301の中で選択されているサービスが、サービスアイコンパネルパネル(撮像装置側)304およびサービス名パネル(撮像装置側)305の両方ならば、ステップS435に進む。メール送信アイコンパネル(撮像装置側)306とそれに隣接する全て(一つまたは複数)のメール送信先パネル(撮像装置側)307ならば、ステップS436に進む。メール送信先パネル(撮像装置側)307のみならば、ステップS437に進む。
ステップS435: 対になって表示されているサービスアイコンパネルパネル(撮像装置側)304およびサービス名パネル(撮像装置側)305を削除し、表示を更新する。
【００９２】
ステップS436: メール送信アイコンパネル(撮像装置側)306とそれに隣接する全て(一つまたは複数)のメール送信先パネル(撮像装置側)307を、まとめて削除し、表示を更新する。
ステップS437: 選択されているメール送信先パネル(撮像装置側)307を削除し、表示を更新する。
【００９３】
ステップS438: ステップS435、S436、S437で削除された表示状態を反映させてサービス情報を更新し、撮像装置100に送信する。
【００９４】
図7は、本発明において撮像処理装置100のディスプレイ107に表示される画面の例である。これを、送信先選択画面700、メール送信先選択画面704と呼ぶこととする。
【００９５】
送信先選択画面700は、送信先機器アイコン701と、送信先Webサービスアイコン702と、メール送信アイコン703から構成される。
【００９６】
送信先機器アイコン701は、画像の送信先として他の機器を指定するためのアイコンである。他の機器としては、デジタルカメラ、スマートフォン、PCなどが考えられるが、ここではそれらを特に区別せず、同じ番号を割り当てている。
【００９７】
送信先Webサービスアイコン702とメール送信アイコン703の並び順は、Webサービス設定画面300において設定されたものが反映される。
【００９８】
送信先Webサービスアイコン702は、画像の送信先としてネットワーク上のWebサービスを指定するためのアイコンである。一つのアイコンが一つのWebサービスに対応する。画像を送信可能な様々なWebサービスが存在するが、ここではそれらを特に区別せず、同じ番号を割り当てている。
【００９９】
メール送信アイコン703は、メールで画像を送信するためのアイコンである。
【０１００】
メール送信先選択画面704は、一つまたは複数のメール送信先705から構成される。ここでは、個々の送信先を特に区別せず、同じ番号を割り当てている。
【０１０１】
それぞれのメール送信先705の並び順は、Webサービス設定画面300において設定されたものが反映される。
【０１０２】
図7を実際の操作の流れに沿って説明すると、次のようになる。
【０１０３】
撮像装置100において画像を外部に送信するためには、所定の操作を行って、送信先選択画面700を表示させる。画像を他の機器に送りたいときは送信先機器アイコン701を、Webサービスに送りたいときは送信先Webサービスアイコン702を選択すると、送信先として確定される。これらは、アイコンと送信先が一対一で対応しているため、アイコンを選択した時点で確定される。
【０１０４】
一方、メールの送信先については、複数の送信先を登録可能であるため、メール送信アイコン703を選択しただけでは確定しない。メール送信アイコン703を選択すると、画面がメール送信先選択画面704に遷移する。このメール送信先選択画面704において、任意のメール送信先705を選択することで、メールの送信先が確定される。
【０１０５】
図8は、図7で説明した機能を実現するための撮像装置100の処理の流れを示したもので、ROM 105に記録されたプログラムをCPU 103が読み取り実行することによって行われる。この処理の詳細を、以下に説明する。この処理は、ユーザが撮像装置100において画像の送信機能を呼び出したところから開始される。
【０１０６】
ステップS801: 送信先選択画面701を、ディスプレイ107に表示する。
ステップS802: ユーザによって送信先機器アイコン701またはWebサービスアイコン702が選択されたならば、ステップS803に進む。メール送信アイコン703が選択されたならば、ステップS804に進む。何も選択されなかったら、ステップS802に戻る。
【０１０７】
ステップS803: 選択されたアイコンに対応する送信先(外部のデジタルカメラやスマートフォンなどの機器、ネットワーク上のウェブサービスなど)を、画像の送信先として設定する。
【０１０８】
ステップS804: メール送信先選択画面704をディスプレイ107に表示する。
【０１０９】
ステップS805: ユーザによってメール送信先705のいずれかが選択されたなら、ステップS806に進む。何も選択されなかったら、ステップS805に戻る。
【０１１０】
ステップS806: ステップS805で選択されたメール送信先を、画像の送信先として設定する。
【０１１１】
ステップS807: 送信する画像を、メモリーカード108に記録された画像の中から、ユーザが選択する。この処理は本発明の範囲外なので、詳細は省略する。
【０１１２】
ステップS808: ステップS807で選択された画像を、ステップS803またはステップS806で設定された送信先に送信する。この処理は本発明の範囲外なので、詳細は省略する。
【０１１３】
以上、本実施例で説明した処理を行うことにより、外部装置、ネットワーク上のWebサービス、任意のメール送信先など、様々な種類の送信先を撮像装置100に設定し、ユーザにとって見やすいように表示を並び替え、そして画像を送信することができる。
【符号の説明】
【０１１４】
100 撮像装置
101 光学系
102 イメージセンサー
103 中央処理装置
104 RAM
105 ROM
106 記憶媒体
107 ディスプレイ
108 操作部
109 通信装置
200 情報処理装置
201 ディスプレイ
202 操作部
203 中央処理装置
204 RAM
205 二次記憶装置
206 通信装置
300 Webサービス設定画面
301 撮像装置側設定パネル
302 上移動ボタン
303 下移動ボタン
304 サービスアイコンパネルパネル(撮像装置側)
305 サービス名パネル(撮像装置側)
306 メール送信アイコンパネル(撮像装置側)
307 メール送信先パネル(撮像装置側)
308 選択状態のサービスアイコンパネルおよびサービス名パネル
309 削除ボタン
310 サービス書込みボタン
311情報処理装置側設定パネル
312 メール送信アイコンパネル(情報処理装置側)
313 メール送信先パネル(情報処理装置側)
314 選択状態の送信先パネル
315 サービスアイコンパネル(情報処理装置側)
316 サービス名パネル(情報処理装置側)
317 Webサービスの編集ボタン
700 送信先選択画面
701 送信先機器アイコン
702 送信先Webサービスアイコン
703 メール送信アイコン
704 メール送信先選択画面
705 メール送信先
【図１】
2013131086.tif 000003
【図２】
2013131086.tif 000004
【図３】
2013131086.tif 000005
【図４】
2013131086.tif 000006
【図５】
2013131086.tif 000007
【図６】
2013131086.tif 000008
【図７】
2013131086.tif 000009
【図８】
2013131086.tif 000010